(57)【要約】【課題】  オープンシールド機の外部から地下水を吸入し排出することでオープンシールド機外側の地下水位を下げることができる長時間安定した運転が可能なオープンシールド機を提供する。【解決手段】左右両側面に沿って前後方向に配設される右側板部及び左側板部を備え、右側板部及び左側板部のうち少なくとも一方の表面に存する吸入孔から水を吸入し除去するオープンシールド機であって、粒状又は粉状の固体を含んでなり、該粒状又は該粉状の固体同士の間を吸入水が通過することにより、吸入孔から吸入された吸入水に同伴される土砂を濾過により除去する土砂除去手段と、吸入孔から吸入水が吸入されるように、土砂除去手段により、該同伴される土砂の少なくとも一部が除去された吸入水を移送する吸入水移送手段と、を備えてなる、オープンシールド機である。【選択図】図３
2018044373.tif 000002
【特許請求の範囲】
【請求項１】
左右両側面に沿って前後方向に配設される右側板部及び左側板部を備え、
右側板部及び左側板部のうち少なくとも一方の表面に存する吸入孔から水を吸入し除去するオープンシールド機であって、
粒状又は粉状の固体を含んでなり、該粒状又は該粉状の固体同士の間を吸入水が通過することにより、吸入孔から吸入された吸入水に同伴される土砂を濾過により除去する土砂除去手段と、
吸入孔から吸入水が吸入されるように、土砂除去手段により、該同伴される土砂の少なくとも一部が除去された吸入水を移送する吸入水移送手段と、
を備えてなる、オープンシールド機。
【請求項２】
土砂除去手段が吸入水から除去した土砂を、土砂除去手段から取り除く土砂取り除き手段を備えるものである、請求項１に記載のオープンシールド機。
【請求項３】
土砂取り除き手段が、土砂除去手段が吸入水を濾過し土砂を取り除く際の吸入水の流れる方向とは逆方向の水である逆洗水を土砂除去手段に流す逆洗手段である、請求項２に記載のオープンシールド機。
【請求項４】
逆洗水が、土砂除去手段により前記同伴される土砂の少なくとも一部が除去された吸入水又は当該オープンシールド機の内部の土表面に存する進入水を用いるものである、請求項３に記載のオープンシールド機。
【請求項５】
逆洗水が、前記進入水を用いるものであり、
前記進入水に同伴される土砂を除去する逆洗水土砂除去手段を有するものである、請求項４に記載のオープンシールド機。
【請求項６】
逆洗水が、前記吸入水を用いるものであり、
逆洗手段が、吸入水移送手段により移送される吸入水を少なくとも土砂除去手段よりも高い位置にて保持する吸入水保持手段と、吸入水保持手段に保持された吸入水を該高い位置から土砂除去手段まで液高により流動させる液高流動手段と、を有してなる、請求項４に記載のオープンシールド機。
【請求項７】
吸入水移送手段が、土砂除去手段を通過した吸入水を一端に受け入れ、少なくとも該一端よりも高位置へ吸入水を導く導管を有してなり、
吸入水保持手段が、該一端から該高位置までの該導管により構成されると共に、液高流動手段が、該高位置における導管の内部を外部と連通させる連通手段である、請求項６に記載のオープンシールド機。
【請求項８】
土砂除去手段に岩石が到達することを防止又は減少させるため、岩石の通過を制限すると共に吸入水の通過を許容する岩石不通過孔が形成された岩石除去板を備えてなる、請求項１乃至７のいずれか１に記載のオープンシールド機。
【請求項９】
岩石除去板が、前記一方の表面の一部を形成すると共に、岩石不通過孔が吸入孔を構成し、
前記一方の内部に、岩石不通過孔により外部と連通し、土砂除去手段を保持する保持空間が形成されており、
吸入水移送手段が保持空間から吸入水を吸入するものである、請求項８に記載のオープンシールド機。
【請求項１０】
請求項１乃至９のいずれか１に記載のオープンシールド機を用いたオープンシールド工法であって、前記一方の表面に存する吸入孔から水を吸入し除去する吸入工程を含むものである、工法。
【請求項１１】
請求項２乃至７のいずれか１に記載のオープンシールド機を用いたオープンシールド工法であって、吸入行程の後、土砂除去手段が吸入水から除去した土砂を、土砂除去手段から取り除く土砂取り除き工程を含むものである、請求項１０に記載の工法。
【発明の詳細な説明】
【技術分野】
【０００１】
本発明は、上下水道管やボックスカルバート等の地中構造物を埋設するために用いられるオープンシールド機に関し、より詳細には、オープンシールド機の外部から地下水を吸入し排出することができるオープンシールド機に関する。
【背景技術】
【０００２】
上下水道管やボックスカルバート等の地中構造物を埋設するために、従来から、オープンシールド機を用いたオープンシールド工法が多用されてきた。オープンシールド工法は、牽引式又は自走式のオープンシールド機を土中に埋入し、該オープンシールド機の内部空間において地中構造物を連結することと土砂を前方向に向けて掘削し該オープンシールド機を前進させることとを順次行いつつ、該オープンシールド機の後方に位置する地中構造物を埋め戻すこと（土砂やモルタル等が用いられることが多い。）を行うことで、地中構造物を連続的に埋設することができるものである。かかるオープンシールド工法やオープンシールド機等については、本出願人も既に多くの出願（例えば、特許文献１〜特許文献１１参照）をしているので、詳細な説明は省略する。
【０００３】
特許文献１２に開示のオープンシールド工法は、『左右側壁板の内側に推進ジャッキを配設し、前面、後面及び上面を開口したオープンシールド機の前面又は上面開口より前方の土砂を掘削排土する工程と、推進ジャッキを伸長してコンクリート函体を反力にしてシールド機を前進させる工程と、シールド機のテール部内で縮めた推進ジャッキの後方に新たなコンクリート函体を上方から吊り降してセットする工程とを適宜繰り返して順次コンクリート函体を縦列に埋設するオープンシールド工法において、オープンシールド機内への地下水の浸入を簡単かつ確実に抑える』（特許文献１２の要約の目的）ために発明されたものであり、具体的には『左右側壁板の内側に推進ジャッキを配設し、前面、後面及び上面を開口したオープンシールド機の前面又は上面開口より前方の土砂を掘削排土する工程と、推進ジャッキを伸長してコンクリート函体を反力にしてシールド機を前進させる工程と、シールド機のテール部内で縮めた推進ジャッキの後方に新たなコンクリート函体を上方から吊り降してセットする工程とを適宜繰り返して順次コンクリート函体を縦列に埋設するオープンシールド工法において、オープンシールド機は機体の下方に透水孔を設け、この透水孔からの浸入水を排出してオープンシールド機外側の地下水位を下げることを特徴とするオープンシールド工法』（特許文献１２の請求項１）、『左右側壁板の内側に推進ジャッキを配設し、前面、後面及び上面を開口したオープンシールド機において、左右側壁板の下方部分にメッシュまたはスリットでの土砂流入防止手段を備えた透水孔を設けたことを特徴とするオープンシールド機』（特許文献１２の請求項５）及び『左右側壁板の内側に推進ジャッキを配設し、前面、後面及び上面を開口したオープンシールド機において、底板にメッシュまたはスリットでの土砂流入防止手段を備えた透水孔を設けたことを特徴とするオープンシールド機』（特許文献１２の請求項６）であり、これによって『オープンシールド工法でオープンシールド機の機体の下方に透水孔を設け、この透水孔からの浸入水を排出してオープンシールド機外側の地下水位を下げることにより、透水孔以外からオープンシールド機内に浸入する地下水の量を極力減じることができ、オープンシールド機内の作業の支障にならないようにすることができる。また、オープンシールド機の機外でのウエルポイントの設置などとは異なり、オープンシールド機そのものからの排水ができるので、器具その他の設置の手間も省け、オープンシールド機の進行にともなっての排水個所の移動も楽に行うことができる』（特許文献１２の段落番号００１６）、『オープンシールド機として左右側壁板の下方部分の外側から地下水をオープンシールド機内に取り込むことになり、この浸入水を排出してオープンシールド機外側の地下水位を下げることができる。その際メッシュまたはスリットでの土砂流入防止手段により、地下水とともに土砂が流入してしまうことを防止できる』（特許文献１２の段落番号００１９）、そして『オープンシールド機として底板の外側から地下水をオープンシールド機内に取り込むこと』（特許文献１２の段落番号００２０）においても、これと同様の効果を奏するというものである。
【先行技術文献】
【特許文献】
【０００４】
【特許文献１】特開２０１５−７８５１２号公報
【特許文献２】特開２００７−１２０１３０号公報
【特許文献３】特開２００４−１１６１７９号公報
【特許文献４】特開２００３−１２０１８２号公報
【特許文献５】特開２００３−６４９８７号公報
【特許文献６】特開２００２−６１４９２号公報
【特許文献７】特開２００１−４９９９１号公報
【特許文献８】特開平１１−１３１９７９号公報
【特許文献９】特開平１０−２９９３８６号公報
【特許文献１０】特開平１０−１３１６７３号公報
【特許文献１１】特開平７−４２４８８号公報
【特許文献１２】特開平８−３３３９８７号公報
【発明の概要】
【発明が解決しようとする課題】
【０００５】
しかし、特許文献１２に開示のオープンシールド工法及びオープンシールド機においては、メッシュまたはスリットでの土砂流入防止手段を備えるものの、実際にはメッシュ又はスリットを土砂が通過することで、送水管の詰まりやポンプの故障を生じる問題があった。かかる問題は、たびたび運転を停止して掃除や修理を行う必要があり、作業性を著しく低下させるものであった。
そこで、本発明では、オープンシールド機の外部から地下水を吸入し排出することでオープンシールド機外側の地下水位を下げることができる長時間安定した運転が可能なオープンシールド機を提供することを目的とする。
【課題を解決するための手段】
【０００６】
本発明のオープンシールド機（以下、「本オープンシールド機」という）は、左右両側面に沿って前後方向に配設される右側板部及び左側板部を備え、右側板部及び左側板部のうち少なくとも一方の表面に存する吸入孔から水を吸入し除去するオープンシールド機であって、粒状又は粉状の固体を含んでなり、該粒状又は該粉状の固体同士の間を吸入水が通過することにより、吸入孔から吸入された吸入水に同伴される土砂を濾過により除去する土砂除去手段と、吸入孔から吸入水が吸入されるように、土砂除去手段により、該同伴される土砂の少なくとも一部が除去された吸入水を移送する吸入水移送手段と、を備えてなる、オープンシールド機である。
【０００７】
本オープンシールド機は、左右両側面に沿って前後方向に配設される右側板部及び左側板部を備える。そして、本オープンシールド機は、これら右側板部及び左側板部のうち少なくとも一方（一方又は両方）の表面に存する吸入孔から水を吸入し除去するオープンシールド機であり、該吸入孔から水を吸入し除去することでオープンシールド機外側の地下水位を下げることができ、オープンシールド機内部への水の浸入を抑制することができる（かかる点においては特許文献１２に開示のオープンシールド機と同様である。）。
本オープンシールド機は、土砂除去手段と、吸入水移送手段と、を備える。
土砂除去手段は、粒状又は粉状の多数の固体を含む。そして、該粒状又は該粉状の固体同士の間を、吸入孔から吸入された吸入水が通過する。このように土砂を同伴する吸入水が、土砂除去手段に含まれる該粒状又は該粉状の固体同士の間を通過し濾過されることで、吸入水に同伴される土砂の少なくとも一部が除去される。土砂除去手段に含まれる該粒状又は該粉状の固体は、粒径が小さくなると吸入水に同伴される小さな土砂まで除去されるので好ましいが、その反面、吸入水が該粒状又は該粉状の固体同士の間を通過する抵抗が増加する。そして、該粒径が大きくなると吸入水に同伴される土砂のうち小さな土砂は除去されなくなるが、反面、吸入水が該粒状又は該粉状の固体同士の間を通過する抵抗は減少する。このように該粒径により除去される土砂の大きさと吸入水の通過抵抗とが変化するので、本オープンシールド機の使用状況及び目的に合わせて該粒径を決定すればよい。
吸入水移送手段は、吸入孔から吸入水が吸入されるように、土砂除去手段により土砂の少なくとも一部が除去された吸入水を移送する。吸入水移送手段は、通常、吸入水を吸入するポンプと、吸入水を流通させる導管（送水管）と、を含んでなる。
以上の通り、本オープンシールド機においては、土砂を同伴する吸入水が、土砂除去手段に含まれる該粒状又は該粉状の固体同士の間を通過し濾過されることで、吸入水に同伴される土砂の少なくとも一部が濾過により除去されると共に、吸入孔から吸入水が吸入されるように吸入水移送手段により吸入水が移送されるので、吸入水移送手段へ吸入水に同伴される土砂が減少し、導管（送水管）の詰まりやポンプの故障を防止又は減少させることができる。これにより本オープンシールド機は、その外部から地下水を吸入し排出することで、オープンシールド機外側の地下水位を下げてオープンシールド機内部への水の浸入を抑制する運転を長時間安定して行うことができる。
【０００８】
本オープンシールド機においては、土砂除去手段が吸入水から除去した土砂を、土砂除去手段から取り除く土砂取り除き手段を備えるもの（以下、「土砂取り除き手段具備本オープンシールド機」という。）であってもよい。
土砂を同伴する吸入水が、土砂除去手段に含まれる粒状又は粉状の固体同士の間を通過し濾過されることで、吸入水に同伴される土砂の少なくとも一部が除去されるが、該除去された土砂は、土砂除去手段（特に、粒状又は粉状の固体同士の間）に蓄積されることが多く、これにより粒状又は粉状の固体同士の間を吸入水が通過することに支障を生じることがある。このため土砂除去手段が吸入水から除去した土砂を、土砂除去手段から取り除く土砂取り除き手段を備えるようにすれば、土砂除去手段への土砂の蓄積に応じ、土砂取り除き手段により、土砂除去手段へ蓄積された土砂を取り除くことで、土砂除去手段への土砂の蓄積を解消し該蓄積による問題を防止又は減少させることができる。
【０００９】
土砂取り除き手段具備本オープンシールド機においては、土砂取り除き手段が、土砂除去手段が吸入水を濾過し土砂を取り除く際の吸入水の流れる方向とは逆方向の水である逆洗水を土砂除去手段に流す逆洗手段であってもよい（以下、「逆洗手段具備本オープンシールド機」という。）。
土砂取り除き手段は、土砂除去手段が吸入水から除去することで土砂除去手段に蓄積された土砂を土砂除去手段から取り除くものであればよく、特に限定されるものではないが（土砂除去手段を構成する粒状又は粉状の固体と、土砂と、の両者を濾過により分離するものや、該両者を遠心分離するものや、該固体を磁力に吸引されるものとして、磁力によって該両者を分離するもの等を例示的に挙げることができる。）、土砂除去手段が吸入水を濾過し土砂を取り除く際の吸入水の流れる方向とは逆方向の水である逆洗水を土砂除去手段に流す逆洗手段としてもよい。このように逆洗手段とすることで、吸入水を濾過しそれに同伴される土砂を土砂除去手段が取り除く際の吸入水の流れる方向とは逆方向に水を流すので、土砂が土砂除去手段により捕獲された際とは反対方向の水の流れにより、土砂除去手段に蓄積された土砂が土砂除去手段から容易に離れ、土砂が土砂除去手段から容易に取り除かれやすい。
【００１０】
逆洗手段具備本オープンシールド機においては、逆洗水が、土砂除去手段により前記同伴される土砂の少なくとも一部が除去された吸入水又は当該オープンシールド機の内部の土表面に存する進入水を用いるもの（以下、「吸入水進入水利用逆洗手段具備本オープンシールド機」という。）であってもよい。
このように逆洗手段が、土砂除去手段に流す逆洗水として、土砂除去手段により前記同伴される土砂の少なくとも一部が除去された吸入水又は本オープンシールド機の内部の土表面に存する進入水を用いることで、逆洗水として用いる水を別個に準備する必要がなく、水資源の有効利用に資することができる。
【００１１】
吸入水進入水利用逆洗手段具備本オープンシールド機においては、逆洗水が、前記進入水を用いるものであり、前記進入水に同伴される土砂を除去する逆洗水土砂除去手段を有するものであってもよい。
逆洗水として前記進入水を用いる場合、前記進入水は、オープンシールド機の内部の土表面に存するものであることから、通常、前記進入水には土砂が同伴される。このため土砂を同伴したままの前記進入水を逆洗水として土砂除去手段に流すと、土砂除去手段に蓄積された土砂を除去する効果が減少する（前記進入水に同伴された土砂が、土砂除去手段に蓄積することもあり得る。）。このため逆洗水土砂除去手段によって、予め、前記進入水に同伴される土砂を除去し、該土砂が除去された前記進入水を逆洗水として用いるようにしてもよい。逆洗水土砂除去手段は、前記進入水に同伴される土砂を所望程度除去できるものであれば特に制限なく用いることができるが、濾過器、遠心分離器、沈殿槽（土砂を沈降させて進入水から除去する）等を例示的に挙げることができる。
【００１２】
吸入水進入水利用逆洗手段具備本オープンシールド機においては、逆洗水が、前記吸入水を用いるものであり、逆洗手段が、吸入水移送手段により移送される吸入水を少なくとも土砂除去手段よりも高い位置にて保持する吸入水保持手段と、吸入水保持手段に保持された吸入水を該高い位置から土砂除去手段まで液高により流動させる液高流動手段と、を有してなるもの（以下、「液高逆洗手段具備本オープンシールド機」という。）であってもよい。
このように逆洗手段が吸入水保持手段と液高流動手段とを有し、吸入水保持手段が、吸入水移送手段により移送される吸入水を少なくとも土砂除去手段よりも高い位置にて保持し、液高流動手段が、吸入水保持手段に保持された吸入水を該高い位置から土砂除去手段まで液高により流動させるので、逆洗水たる前記吸入水が吸入水保持手段により保持される高さ（液高）を利用して、逆洗水を土砂除去手段に流すことができるので、逆洗手段に、逆洗水を圧送するための別個のポンプ等を配設する必要がなく、逆洗手段を簡単に構成することができる。
【００１３】
液高逆洗手段具備本オープンシールド機においては、吸入水移送手段が、土砂除去手段を通過した吸入水を一端に受け入れ、少なくとも該一端よりも高位置へ吸入水を導く導管を有してなり、吸入水保持手段が、該一端から該高位置までの該導管により構成されると共に、液高流動手段が、該高位置における導管の内部を外部と連通させる連通手段であってもよい。
吸入水移送手段が、土砂除去手段を通過した吸入水を一端に受け入れ、少なくとも該一端よりも高位置へ吸入水を導く導管を有し（通常、このような導管を吸入水移送手段は有することが多い）、吸入水保持手段が、該一端から該高位置までの該導管により構成されると共に、液高流動手段たる連通手段が、該高位置における該導管の内部を外部と連通させる。これにより、該一端から該高位置までの該導管に保持された逆洗水たる前記吸入水が、該高位置における該導管の内部を外部と連通させることで、逆洗水たる前記吸入水の高さ（液高）を利用して、簡単に逆洗水を土砂除去手段に流すことができる。
【００１４】
本オープンシールド機においては、土砂除去手段に岩石が到達することを防止又は減少させるため、岩石の通過を制限すると共に吸入水の通過を許容する岩石不通過孔が形成された岩石除去板を備えてなるもの（以下、「岩石除去板具備本オープンシールド機」という。）であってもよい。
土砂除去手段は、吸入孔から吸入された吸入水に同伴される土砂を濾過により除去するが、本オープンシールド機の周囲に存する岩石が土砂除去手段に到達すると、土砂除去手段が破損したり、吸入水に同伴される土砂の除去能力が減少する場合がある。このため本オープンシールド機が岩石除去板を備え、岩石除去板に形成された岩石不通過孔によって、岩石の通過を制限し（岩石不通過孔は、吸入水の通過を許容する）、土砂除去手段に岩石が到達することを防止又は減少させるようにしてもよい。
【００１５】
岩石除去板具備本オープンシールド機においては、岩石除去板が、前記一方の表面の一部を形成すると共に、岩石不通過孔が吸入孔を構成し、前記一方の内部に、岩石不通過孔により外部と連通し、土砂除去手段を保持する保持空間が形成されており、吸入水移送手段が保持空間から吸入水を吸入するものであってもよい。
こうすることで、岩石除去板が、右側板部及び左側板部のうち前記少なくとも一方（一方又は両方）の表面の一部を形成すると共に、岩石不通過孔が吸入孔を構成するので、前記一方の表面を形成する部材により岩石除去板を構成することができ、岩石不通過孔から吸入水を吸入することができる。そして、右側板部及び左側板部のうち前記少なくとも一方（一方又は両方）の内部に保持空間が形成されており、保持空間は岩石不通過孔により外部と連通すると共に保持空間は土砂除去手段を保持する。吸入水移送手段が保持空間から吸入水を吸入することにより、吸入孔たる岩石不通過孔から水が吸入され、保持空間に保持された土砂除去手段が、吸入孔から吸入された吸入水に同伴される土砂を濾過により除去し、吸入水移送手段が保持空間から、土砂除去手段により土砂が除去された吸入水を吸入することができる。このように右側板部及び左側板部のうち前記少なくとも一方（一方又は両方）の内部空間を保持空間としてうまく利用することで、岩石除去板具備本オープンシールド機を小形かつ簡単に構成することができる。
【００１６】
本発明は、本オープンシールド機を用いたオープンシールド工法（以下、「本工法」という。）を提供する。
即ち、本工法は、本オープンシールド機を用いたオープンシールド工法であって、前記一方の表面に存する吸入孔から水を吸入し除去する吸入工程を含むものである、工法である。
本工法においては、土砂を同伴する吸入水が、本オープンシールド機の土砂除去手段に含まれる粒状又は粉状の固体同士の間を通過し濾過されることで、吸入水に同伴される土砂の少なくとも一部が濾過により除去され、吸入孔から吸入水が吸入されるように吸入水移送手段により吸入水が移送されるので、吸入水移送手段へ同伴される土砂が減少し、導管（送水管）の詰まりやポンプの故障を防止又は減少させることができる。これにより本工法においては、外部から地下水を吸入し排出することで、オープンシールド機外側の地下水位を下げてオープンシールド機内部への水の浸入を抑制する運転を長時間安定して行うことができる。
【００１７】
本工法においては、土砂取り除き手段具備本オープンシールド機を用いたオープンシールド工法であって、吸入行程の後、土砂除去手段が吸入水から除去した土砂を、土砂除去手段から取り除く土砂取り除き工程を含むものであってもよい。
こうすることで、吸入工程において土砂除去手段へ蓄積した土砂を、吸入行程の後の土砂取り除き工程において土砂取り除き手段が取り除くことで、土砂除去手段への土砂の蓄積による問題を防止又は減少することができ、本工法を効果的に安定して行うことができる。
【図面の簡単な説明】
【００１８】
【図１】本発明の第１実施形態に係るオープンシールド機（本オープンシールド機）を示す平面図である。
【図２】図１に示す本オープンシールド機の正面図である。
【図３】図２の断面図（図３（ａ）は図２のＢ−Ｂ断面を示し、図３（ｂ）は図２のＣ−Ｃ断面を示している。）である。
【図４】図３（ａ）のＤ−Ｄ断面図（濾材を除いた状態を図示している）である。
【図５】図３（ａ）中の矢印Ｅ方向から多孔部を見たところを示す図である。
【図６】図６（ａ）は図３（ｂ）中の矢印Ｆ方向から多孔部を見たところを示す図であり、図６（ｂ）は別の例の多孔部を示す図である。
【図７】本オープンシールド機の配管接続状態を示す図である。
【図８】本発明の第２実施形態に係るオープンシールド機（本オープンシールド機）を構成する左フロント下室及び左テール下室の断面図（図８（ａ）は左フロント下室の断面であり、図８（ｂ）は左テール下室の断面である）である。
【図９】図８（ａ）のＧ−Ｇ断面図（濾材を除いた状態を図示している）である。
【図１０】第１実施形態の本オープンシールド機を用いた吸水実験の結果を示すグラフである。
【図１１】第２実施形態の本オープンシールド機を用いた吸水実験の結果を示すグラフである。
【発明を実施するための形態】
【００１９】
以下、本発明の実施の形態を図面を参照して説明する。しかしながら、これらによって本発明は何ら制限されるものではない。
【００２０】
（第１実施形態）
図１は、本発明の第１実施形態に係るオープンシールド機（本オープンシールド機）１１を示す平面図であり、図２は、本オープンシールド機１１の正面図であり（図１中、矢印Ａ方向から見たところを示している）、図３は、図２の断面図であり（詳細には、図３（ａ）は図２のＢ−Ｂ断面を示し、図３（ｂ）は図２のＣ−Ｃ断面を示している。）、図４は図３（ａ）のＤ−Ｄ断面図（但し、理解を容易にするため、後述の濾材５７を除いた状態を図示している）であり、図５は図３（ａ）中の矢印Ｅ方向から多孔部２３ｂｂｈを見たところを示し、図６（ａ）は図３（ｂ）中の矢印Ｆ方向から多孔部３３ｂｂｈを見たところを示している。なお、図６（ｂ）は、別の例の多孔部３３ｂｂｈを示している（図６（ａ）と同様の方向から見ている。）。
図１乃至図６を参照して、本オープンシールド機１１について説明する。
【００２１】
本オープンシールド機１１は、フロント部２１とテール部３１とが前後方向（図中、前方向を矢印Ｑ１にて、後方向を矢印Ｑ２にて、それぞれ示す。）に互いにスライド（変位）自在に取り付けられると共に、フロント部２１とテール部３１との間に推進ジャッキ４１（左右一対の推進ジャッキ４１が上下に配設されているので合計４本の推進ジャッキ４１が配設されている。）が取り付けられている。これら４本の推進ジャッキ４１を伸ばす（推進ジャッキ４１を伸縮させるための油圧装置及びその制御装置は制御部６１に収容されている。）とフロント部２１とテール部３１との間が前後に伸びるので、本オープンシールド機１１の後方に土砂（例えば、埋め戻されたもの）が存すれば、該土砂の前端を後方に向けて押し固めると共にその押し固めによって生じる前方への反力によってフロント部２１が前進（矢印Ｑ１方向）し、次いで、前方の掘削と共に推進ジャッキ４１を縮めるとテール部３１が前方へ移動（矢印Ｑ１方向）し、その後、本オープンシールド機１１の後方に土砂を埋め戻し、再び、推進ジャッキ４１をのばすと、土砂の前端を後方に向けて押し固めると共にその押し固めによって生じる前方への反力によってフロント部２１が再び前進する。このように推進ジャッキ４１をのばす（後方の土砂の押し固めと、フロント部２１の前進）、前方の掘削、推進ジャッキ４１を縮める（テール部３１の前進）、後方に土砂を埋め戻す、という工程を繰り返すことによって、本オープンシールド機１１の後方の土砂を押し固めつつ本オープンシールド機１１を前進させることができる。このように本オープンシールド機１１の前進と共に本オープンシールド機１１の内部１１ｃに上下水道管やボックスカルバート等の地中構造物（不図示）を前方方向に向けて順次埋設することで、前後方向に沿って地中構造物（不図示）を連続して埋設できる。
【００２２】
フロント部２１は、左右（制御部６１に乗った操作者（不図示）が前方向（矢印Ｑ１方向）に向いた状態において該操作者が認識する左右をいう。）に一対配設された右フロント側板部２３ａ及び左フロント側板部２３ｂ（右フロント側板部２３ａには右フロント側面板２３ａｂが固定されると共に左フロント側板部２３ｂには左フロント側面板２３ｂｂが固定されている。）と、右フロント側板部２３ａの内面に一端が取り付けられると共に左フロント側板部２３ｂの内面に他端が取り付けられることで右フロント側板部２３ａ及び左フロント側板部２３ｂを支持する一対のフロント支持梁２４、２５と、を有してなる。
【００２３】
テール部３１は、左右に一対配設された右テール側板部３３ａ及び左テール側板部３３ｂと、右テール側板部３３ａの内面に一端が取り付けられると共に左テール側板部３３ｂの内面に他端が取り付けられることで右テール側板部３３ａ及び左テール側板部３３ｂを支持するテール支持梁３５ｃ、３５ｄ（詳細には、テール支持梁３５ｃ、３５ｄは、後述の右テール側板本体３３ａｍ内面と左テール側板本体３３ｂｍ内面とを連結している。）と、を有してなる。
左テール側板部３３ｂは、左テール側面板３３ｂｂと左テール側板本体３３ｂｍとを含んでなる。左テール側面板３３ｂｂは左テール側板本体３３ｂｍに対して前後にスライド可能に取り付けられると共に、左フロント側面板２３ｂｂに連結されることで、左フロント側面板２３ｂｂと一体となって前後方向に動く。
右テール側板部３３ａは、右テール側面板３３ａｂと右テール側板本体３３ａｍとを含んでなる。右テール側面板３３ａｂは右テール側板本体３３ａｍに対して前後にスライド可能に取り付けられると共に、右フロント側面板２３ａｂに連結されることで、右フロント側面板２３ａｂと一体となって前後方向に動く。
【００２４】
左フロント側板部２３ｂは、特に図２及び図３（ａ）に示すように、その下面２３ｂｄに沿って前後方向（矢印Ｑ１、Ｑ２方向）に形成された左フロント下室２６を有している。左フロント下室２６は、左フロント側板部２３ｂの下板２０ａと、左フロント側板部２３ｂの内板２０ｂと、左フロント側面板２３ｂｂと、左フロント側板部の仕切り板２０ｄと、によって内部空間２６ｒが形成されている（特に図３（ａ）参照）。左フロント下室２６の内部空間２６ｒは、左フロント側面板２３ｂｂ下部に形成された多孔部２３ｂｂｈ（図５に示す通り、直径１０ｍｍの円形の開孔２９が、該円形の中心が縦横いずれも１５ｍｍ間隔（即ち、左フロント側面板２３ｂｂに仮想的に描かれた縦１５ｍｍ毎の複数の平行線と横１５ｍｍ毎の複数の平行線との交点を中心とする半径５ｍｍの円に沿って開孔２９が形成されている。）になるように多数形成されている。）により外部３０１と連通している（左フロント下室２６の内部空間２６ｒは、多孔部２３ｂｂｈの開孔２９を除き、外部３０１とは液密的に構成されている。）。
【００２５】
左フロント下室２６には、図４に示すように、前後方向（矢印Ｑ１、Ｑ２方向）に沿って枝パイプ５１が配設されており、枝パイプ５１の先端５１ｅは封鎖されると共に、枝パイプ５１の他端は、後述する幹パイプ５６に接続されている。枝パイプ５１には、接続管５５ａ、５５ｂ、５５ｃにより３本の吸入管５３ａ、５３ｂ、５３ｃがそれぞれ接続されている。３本の吸入管５３ａ、５３ｂ、５３ｃいずれも、先端（接続管５５ａ、５５ｂ、５５ｃに接続されていない端）が封鎖された中空の管（ここでは直径３２ｍｍ×長さ５５０ｍｍ）に、径１０ｍｍの多数の開孔を穿設し、その管の外面に厚さ０．４ｍｍの１０メッシュの金網を巻き付けたものである。
そして、左フロント下室２６の内部空間２６ｒには、濾材５７が充填されている。濾材５７は、粒径１．７ｍｍ〜４．８ｍｍの珪砂を用いている（具体的には、宇部サンド工業株式会社製の商品名「宇部珪砂」の型番「１号Ａ」）。そして、この濾材５７が、多孔部２３ｂｂｈの開孔２９から外部３０１に流出しないように、開孔２９よりも目の細かい金網５８（具体的には、厚さ０．５ｍｍ×１２メッシュを使用した。）が多孔部２３ｂｂｈの左フロント下室２６内部空間２６ｒ側に裏打ちされている。
【００２６】
このため枝パイプ５１の内部を減圧すると、多孔部２３ｂｂｈ近傍の外部３０１に存する水を、多孔部２３ｂｂｈの開孔２９から金網５８を経由して左フロント下室２６内部空間２６ｒに吸い込み、その吸い込んだ水を濾材５７により濾過しつつ、吸入管５３ａ、５３ｂ、５３ｃの外面から水を吸入することができる。
このような吸入管５３ａ、５３ｂ、５３ｃが接続された枝パイプ５１が配設された左フロント下室２６と同様の右フロント下室（不図示）が、右フロント側板部２３ａにも形成されている（なお、右フロント下室（不図示）は、右フロント側面板２３ａｂに開孔２９が形成されている。）。
ここでは開孔２９として、上述の如く、図５に示す通り、直径１０ｍｍの円形の開孔２９が、中心が縦横いずれも１５ｍｍ間隔になるように多数形成されているが、これら開口寸法（ここでは直径１０ｍｍ）、間隔（ここでは円の中心が縦横いずれも１５ｍｍ間隔）、配列（ここでは縦横同じ間隔の格子の交点に円の中心が存する）及び開口形状（ここでは円形）は本オープンシールド機１１の使用状況に応じて種々変更されることができる。例えば、格子点同士の距離が３０ｍｍの正三角格子の格子点を中心とする直径１５ｍｍの円形の開孔としてもよい。
【００２７】
左テール側板部３３ｂは、特に図２及び図３（ｂ）に示すように、左テール側板本体３３ｂｍと、それに対して前後にスライド自在に取り付けられた左テール側面板３３ｂｂと、を含んでなり、その下面３３ｂｄに沿って前後方向（矢印Ｑ１、Ｑ２方向）に左テール下室３６が左テール側板本体３３ｂｍ内部に形成されている。左テール下室３６は、左テール側板本体３３ｂｍの下板３４ａと、左テール側板本体３３ｂｍの内板３４ｂと、左テール側板本体３３ｂｍの外板３４ｃと、左テール側板本体３３ｂｍの仕切り板３４ｄと、によって内部空間３６ｒが形成されている（特に図３（ｂ）参照）。外板３４ｃの下部（内部空間３６ｒに面する部分）には多孔部３４ｃｈ（左フロント側面板２３ｂｂ下部に形成された多孔部２３ｂｂｈと同様、図５に示す通り、直径１０ｍｍの円形の開孔３４ｃｈａが、該円形の中心が縦横いずれも１５ｍｍ間隔になるように多数形成されている。）が形成されており、多孔部３４ｃｈにより内部空間３６ｒは外部３０１と連通している（左テール下室３６の内部空間３６ｒは、多孔部３４ｃｈの開孔３４ｃｈａを除き、外部３０１とは液密的に構成されている。）。左テール側面板３３ｂｂは、その下部に形成された多孔部３３ｂｂｈ（図６（ａ）に示す通り、幅（前後方向寸法）２０ｍｍ×長さ（上下方向寸法）１６０ｍｍのスリット３９が前後方向に６０ｍｍの間隔で多数形成されている。）を有しており、内部空間３６ｒは金網５８、開孔３４ｃｈａ及びスリット３９によって外部３０１と連通している（左テール側板本体３３ｂｍに対して左テール側面板３３ｂｂが前後にスライドすると、左テール側面板３３ｂｂと外板３４ｃの一部とが重ならないことがあり、その場合には、内部空間３６ｒは金網５８及び開孔３４ｃｈａによって外部３０１と連通する。左テール下室３６の内部空間３６ｒは、この金網５８、開孔３４ｃｈａ及びスリット３９による外部３０１との連通又は金網５８及び開孔３４ｃｈａによる外部３０１との連通を除き、外部３０１とは液密的に構成されている。）。
【００２８】
左テール下室３６には、前述の左フロント下室２６の吸入管５３ａ、５３ｂ、５３ｃ、接続管５５ａ、５５ｂ、５５ｃ及び枝パイプ５１と同様の吸入管５３ａ、５３ｂ、５３ｃ（図３（ｂ）に吸入管５３ｂが現れている。）、接続管５５ａ、５５ｂ、５５ｃ（図３（ｂ）に接続管５５ｂが現れている。）及び枝パイプ５１が配設されている。
そして、左テール下室３６の内部空間３６ｒには、左フロント下室２６と同じ濾材５７が充填されている。この濾材５７が、多孔部３４ｃｈの開孔３４ｃｈａから外部３０１方向に流出しないように、開孔３４ｃｈａよりも目の細かい金網５８（左フロント下室２６の金網５８と同じ金網５８を使用している。）が多孔部３４ｃｈの左テール下室３６内部空間３６ｒ側に裏打ちされている。
【００２９】
このため枝パイプ５１の内部を減圧すると、多孔部３３ｂｂｈ近傍の外部３０１に存する水を、多孔部３３ｂｂｈのスリット３９、多孔部３４ｃｈの開孔３４ｃｈａ及び金網５８を経由して左テール下室３６内部空間３６ｒに吸い込み、その吸い込んだ水を濾材５７により濾過しつつ、吸入管５３ａ、５３ｂ、５３ｃの外面から水を吸入することができる。なお、外板３４ｃと左テール側面板３３ｂｂとが重なっている部分は、外部３０１に存する水をスリット３９から吸い込み（該水はスリット３９を通過した後、さらに開孔３４ｃｈａを通過する。）、外板３４ｃと左テール側面板３３ｂｂとが重なっていない部分は、開孔３４ｃｈａから吸い込む。
このような吸入管５３ａ、５３ｂ、５３ｃが接続された枝パイプ５１が配設された左テール下室３６と同様の右テール下室（不図示）が、右テール側板部３３ａにも形成されている（なお、右テール下室（不図示）は、右テール側面板３３ａｂにスリット３９が形成されている。）。
また、ここではスリット３９として、上述の如く、図６（ａ）に示す通り、幅２０ｍｍ×長さ１６０ｍｍのスリット３９を前後方向６０ｍｍ間隔で形成しているが、これら幅、長さ及び間隔は本オープンシールド機１１の使用状況に応じて種々変更されることができる。例えば、図６（ｂ）に示す通り、幅（前後方向寸法）５０ｍｍ×長さ（上下方向寸法）１６０ｍｍのスリット３９ｃを前後方向２０ｍｍ間隔で形成するようにしてもよい。
【００３０】
ここでは外部３０１に存する水を吸い込む孔としては、左フロント下室２６及び右フロント下室においては多孔部２３ｂｂｈの開孔２９とし、左テール下室３６及び右テール下室においては多孔部３３ｂｂｈのスリット３９（外板３４ｃと左テール側面板３３ｂｂとが重なっていない部分は開孔３４ｃｈａ）としているが、これに限定されるものではなく、左フロント下室２６及び右フロント下室にスリットを形成し、左テール下室３６及び右テール下室に開孔２９を形成するようにしても良いし、さらに開口寸法、開口間隔、開口配列及び開口形状を変更することもできるし、スリット幅、スリット長さ及びスリット間隔を変更することもできる。
【００３１】
図７は、本オープンシールド機１１の配管接続を示す図である。
図７に示すように、左フロント下室に配設された枝パイプ５１ａ（これまで参照番号５１として枝パイプを説明してきたが、これ以降、説明及び理解を容易にするため５１ａ、５１ｂ、５１ｃ、５１ｄと区別することもある。）と、右フロント下室に配設された枝パイプ５１ｂと、左テール下室３６に配設された枝パイプ５１ｃと、右テール下室に配設された枝パイプ５１ｄと、はいずれも１本の幹パイプ５６の一端に接続されている。幹パイプ５６の他端は開放バルブ７０に接続されている。開放バルブ７０には、幹パイプ５６他端の他に、外部３０１に先端が開放された単管７２の基端と、後述の第１バルブ７１と開放バルブ７０とを連通させる接続管７０ｃの一端と、が接続されており、開放バルブ７０を操作することで、幹パイプ５６と接続管７０ｃとが連通された状態と、幹パイプ５６と単管７２とが連通された状態と、を自由に選択できる。そして、接続管７０ｃの他端は第１バルブ７１に接続されている。第１バルブ７１には、接続管７０ｃの他に、吸水ポンプ７３の吸入管７３ｓと、沈降槽７５の水を吐出する吐出ポンプ７４（水中ポンプ）の吐出管７４ｄと、が接続されており、第１バルブ７１を操作することで、接続管７０ｃと吸入管７３ｓとが連通された状態と、接続管７０ｃと吐出管７４ｄとが連通された状態と、を自由に選択できる。なお、吸水ポンプ７３の吐出管７３ｄの先端は、図示しない排水処理装置に接続されている。
【００３２】
そして、本オープンシールド機１１内部には、本オープンシールド機１１内部に進入した地下水を排水する進入水排水ポンプ７６（水中ポンプ）が配設されている。進入水排水ポンプ７６の吐出管７６ｄは第２バルブ７７に接続されている。第２バルブ７７には、吐出管７６ｄの他に、沈降槽７５へ進入水を移送する進入水移送パイプ７８の基端と、進入水を排水する進入水排水パイプ７９の基端と、が接続されており、第２バルブ７７を操作することで、吐出管７６ｄと進入水移送パイプ７８とが連通された状態と、吐出管７６ｄと進入水排水パイプ７９とが連通された状態と、を自由に選択できる。このため本オープンシールド機１１内部に進入した水は、進入水排水ポンプ７６により圧送し、第２バルブ７７を操作することで、進入水移送パイプ７８を経て沈降槽７５へ注入することと（後述の如く、該水を逆洗水として有効利用できる）、進入水排水パイプ７９を経て図示しない排水処理装置に注入するか選択することができる。
進入水移送パイプ７８の先端から進入水は沈降槽７５へ注入され、沈降槽７５において土砂が沈降することで土砂と水とが分離され、後述の通り、土砂が分離された水は、吐出ポンプ７４により圧送され、第１バルブ７１、接続管７０ｃ、開放バルブ７０、幹パイプ５６及び枝パイプ５１ａ、５１ｂ、５１ｃ、５１ｄを経由し、吸入管５３ａ、５３ｂ、５３ｃ表面から吐出されることで、吸入管５３ａ、５３ｂ、５３ｃ、濾材５７、孔部（開孔２９、開孔３４ｃｈａ、スリット３９）を洗浄（逆洗）し、土砂による吸入管、濾材、孔部の目詰まりを解消することができる。
これらのうち開放バルブ７０、第１バルブ７１及び吸水ポンプ７３は、テール部３１に支持された吸排水ユニット９１に収容されている。また、沈降槽７５及び第２バルブ７７は、本オープンシールド機１１の外部又は内部に配設された逆洗ユニット９５に収容されている。
【００３３】
本オープンシールド機１１の周囲から地下水を吸入し排出することで本オープンシールド機１１外側の地下水位を下げる操作を説明する。まず、開放バルブ７０を操作して幹パイプ５６と接続管７０ｃとを連通されると共に、第１バルブ７１を操作して接続管７０ｃと吸入管７３ｓとを連通させ、吸水ポンプ７３を運転する。それにより孔部（開孔２９、スリット３９、開孔３４ｃｈａ）、濾材５７、吸入管５３ａ、５３ｂ、５３ｃ、接続管５５ａ、５５ｂ、５５ｃ、枝パイプ５１ａ、５１ｂ、５１ｃ、５１ｄ、幹パイプ５６、開放バルブ７０、接続管７０ｃ、第１バルブ７１、吸入管７３ｓを地下水が順次通過することで、吸水ポンプ７３から吐出管７３ｄを経て、図示しない排水処理装置に排水される（本オープンシールド機１１外側の地下水位を低下させる。）。
地下水を吸入することで、本オープンシールド機１１の周囲に存する土砂が、孔部（開孔２９、スリット３９、開孔３４ｃｈａ）、濾材５７、吸入管５３ａ、５３ｂ、５３ｃ表面に付着することで、吸入抵抗が増加し、地下水の吸入がうまく行えない状況に至った場合は、次の逆洗行程を行えばよい。逆洗行程には、液高による圧力を利用した逆洗行程（以下、「液高逆洗行程」という。）と、吐出ポンプ７４の吐出圧力を利用した逆洗行程（以下、「ポンプ逆洗行程」という。）と、を行いうる。
【００３４】
液高逆洗行程は、開放バルブ７０（吸入管よりも高い位置に存する）から吸入管までのパイプ（主として幹パイプ５６）内部に存在する水の液高（ヘッド）を利用するものであり、具体的には、開放バルブ７０まで又は開放バルブ７０近くまでパイプ内部に水が存在する状態において、開放バルブ７０を操作して幹パイプ５６と単管７２とが連通する状態とする。これにより外部３０１から単管７２が空気を吸入し、開放バルブ７０から吸入管までのパイプに含まれる水が、幹パイプ５６及び枝パイプ５１ａ、５１ｂ、５１ｃ、５１ｄを経由し、吸入管５３ａ、５３ｂ、５３ｃ表面から吐出される。これによって、吸入管５３ａ、５３ｂ、５３ｃ、濾材５７、孔部（開孔２９、スリット３９、開孔３４ｃｈａ）を洗浄（逆洗）し、土砂による吸入管、濾材、孔部の目詰まりを解消することができる。
ポンプ逆洗行程は、吐出ポンプ７４が吐出する水を利用した逆洗であり、具体的には、第１バルブ７１を操作して接続管７０ｃと吐出管７４ｄとが連通した状態にすると共に開放バルブ７０を操作して幹パイプ５６と接続管７０ｃとを連通させる状態にして吐出ポンプ７４を運転する。これにより沈降槽７５において土砂が分離された水が、吐出ポンプ７４により圧送され、吐出管７４ｄ、第１バルブ７１、接続管７０ｃ、開放バルブ７０、幹パイプ５６及び枝パイプ５１ａ、５１ｂ、５１ｃ、５１ｄを経由し、吸入管５３ａ、５３ｂ、５３ｃ表面から吐出されることで、吸入管５３ａ、５３ｂ、５３ｃ、濾材５７、孔部（開孔２９、スリット３９、開孔３４ｃｈａ）を洗浄（逆洗）し、土砂による吸入管、濾材、孔部の目詰まりを解消することができる。
このように液高逆洗行程は、開放バルブ７０から吸入管までのパイプ内部に含まれる水の液高（ヘッド）を利用するものであるので、逆洗の水量及び圧力が限られるが、反面、開放バルブ７０を操作するのみで手軽に実施できる。これに対し、ポンプ逆洗行程は、吐出ポンプ７４が吐出する水を利用するものであるので、逆洗の水量及び圧力を大きくとることができるが、反面、吐出ポンプ７４の電力を要する（なお、本オープンシールド機１１内部に進入した水を、逆洗用途に有効利用できる利点もある。）。従って、土砂による目詰まりの程度が大きい場合にはポンプ逆洗行程を行い、目詰まりの程度が小さい場合には液高逆洗行程を行うといった使い分けもできるし、容易に行いうる液高逆洗行程をまず行った後、それでも目詰まりが十分改善されない場合はポンプ逆洗行程を行うようにすることもできる。
【００３５】
（第２実施形態）
図８は、本発明の第２実施形態に係るオープンシールド機（本オープンシールド機）を構成する左フロント下室２６及び左テール下室３６の断面図（詳細には、図８（ａ）は左フロント下室２６の断面（図３（ａ）と同様の断面位置を示している）であり、図８（ｂ）は左テール下室３６の断面（図３（ｂ）と同様の断面位置を示している）である。）であり、図９は図８（ａ）のＧ−Ｇ断面図（但し、理解を容易にするため、濾材５７を除いた状態を図示している）である。
第２実施形態の本オープンシールド機は、第１実施形態の本オープンシールド機１１の左フロント下室２６、左テール下室３６、右フロント下室及び右テール下室における枝パイプ５１、接続管５５ａ、５５ｂ、５５ｃ及び吸入管５３ａ、５３ｂ、５３ｃが、枝パイプ５１のみに置き換えられた点が異なるのみで、その余りは第１実施形態の本オープンシールド機１１と同様であるので、ここでは重複する説明を省略する（必要があれば第１実施形態の本オープンシールド機１１の説明を参照されたい。）。
【００３６】
左フロント下室２６には、図８（ａ）及び図９に示すように、前後方向（矢印Ｑ１、Ｑ２方向）に沿って枝パイプ５１が配設されており、枝パイプ５１の先端５１ｅは封鎖されている。枝パイプ５１には、その長手方向に沿って枝パイプ５１内部と内部空間２６ｒとを連通させる多数の連通孔５１ｈが形成されている。連通孔５１ｈは、枝パイプ５１の長手方向に間隔Ｊ（ここではＪ＝約８０ｍｍ）ごとに形成位置が設けられ、その各形成位置においては枝パイプ５１の周に沿ってほぼ等間隔で直径約６ｍｍの連通孔５１ｈが８個穿設されている。
このため枝パイプ５１の内部を減圧すると、多孔部２３ｂｂｈ近傍の外部３０１に存する水を、多孔部２３ｂｂｈの開孔２９から金網５８を経由して左フロント下室２６内部空間２６ｒに吸い込み、その吸い込んだ水を濾材５７により濾過しつつ、連通孔５１ｈから枝パイプ５１内部へ吸入することができる。
このような多数の連通孔５１ｈが形成された枝パイプ５１が配設された左フロント下室２６と同様の右フロント下室（不図示）が、右フロント側板部２３ａにも形成されている（なお、右フロント下室（不図示）は、右フロント側面板２３ａｂに開孔２９が形成されている。）。
【００３７】
左テール下室３６には、前述の左フロント下室２６の枝パイプ５１と同様の枝パイプ５１（多数の連通孔５１ｈが形成されている。）が配設されている。
このため枝パイプ５１の内部を減圧すると、多孔部３３ｂｂｈ近傍の外部３０１に存する水を、多孔部３３ｂｂｈのスリット３９から開孔３４ｃｈａ及び金網５８を経由して左テール下室３６内部空間３６ｒに吸い込み、その吸い込んだ水を濾材５７により濾過しつつ、連通孔５１ｈから枝パイプ５１内部へ吸入することができる。また、外板３４ｃと左テール側面板３３ｂｂとが重なっていない部分は開孔３４ｃｈａを経由して左テール下室３６内部空間３６ｒに吸い込み、その吸い込んだ水を濾材５７により濾過しつつ、連通孔５１ｈから枝パイプ５１内部へ吸入することができる。
このような多数の連通孔５１ｈが形成された枝パイプ５１が配設された左テール下室３６と同様の右テール下室（不図示）が、右テール側板部３３ａにも形成されている（なお、右テール下室（不図示）は、右テール側面板３３ａｂにスリット３９が形成されている。）。
【００３８】
即ち、第２実施形態の本オープンシールド機は、第１実施形態の本オープンシールド機１１が有する接続管５５ａ、５５ｂ、５５ｃ及び吸入管５３ａ、５３ｂ、５３ｃを用いることなく、枝パイプ５１自身に多数の連通孔５１ｈを形成することで、左フロント下室２６内部空間２６ｒ、右フロント下室内部空間、左テール下室３６内部空間３６ｒ及び右テール下室内部空間から水を枝パイプ５１内部へ直接吸入するようにしたものである。このようにすることで接続管５５ａ、５５ｂ、５５ｃ及び吸入管５３ａ、５３ｂ、５３ｃが不要になるので、オープンシールド機の構成を簡単にすることができる。なお、第１実施形態の本オープンシールド機１１が接続管５５ａ、５５ｂ、５５ｃ及び吸入管５３ａ、５３ｂ、５３ｃを有することは、接続管５５ａ、５５ｂ、５５ｃや吸入管５３ａ、５３ｂ、５３ｃの一部に詰まり等の不具合が生じた場合に、不具合が生じたものを交換することで不具合を解消することができるので、メインテナンスを容易迅速ならしめると共に稼働率向上を図ることができる。
【００３９】
（吸水実験）
第１実施形態の本オープンシールド機１１を用いて吸水実験を行った。
幹パイプ５６と接続管７０ｃと吸入管７３ｓとが連通するように開放バルブ７０及び第１バルブ７１を操作すると共に、吐出管７６ｄと進入水排水パイプ７９とが連通するように第２バルブ７７を操作した状態において、図７に示す通り、吸水ポンプ７３の吐出管７３ｄを通過する流量Ｆ３と、進入水排水パイプ７９を通過する流量Ｆ２と、を測定した。
図１０に測定結果を示す。図１０は、水量（流量Ｆ２、Ｆ３の１分間の合計水量（積算水量）。単位：ｍ３）を縦軸が示すものであり（図１０中、「水中Ｐ排水量」は流量Ｆ２の１分間の合計水量（単位：ｍ３）を示し、「ＷＰ．Ｐ排水量」は流量Ｆ３の１分間の合計水量（単位：ｍ３）を示している。）、左側のグラフ（図１０中、「水中Ｐのみで排水」と示している）は、吸水ポンプ７３を停止し、進入水排水ポンプ７６を運転したときのものであり、Ｆ３合計水量＝０（吸水ポンプ７３を停止しているので０である）、Ｆ２合計水量＝０．３４ｍ３であったことを示している。このＦ２合計水量＝０．３４ｍ３は、吸水実験を行った環境において従来のオープンシールド内部に進入する水の量を示すものである。
図１０の右側のグラフ（図１０中、「ＷＰ．Ｐ＋水中Ｐで排水」と示している）は、吸水ポンプ７３を運転すると共に、進入水排水ポンプ７６を運転したときのものであり、Ｆ３合計水量＝０．３４ｍ３、Ｆ２合計水量＝０．０８ｍ３であったことを示している。
即ち、従来のオープンシールド内部には１分間で０．３４ｍ３（図１０左側グラフのＦ２合計水量）の水が進入する環境において、第１実施形態の本オープンシールド機１１内部に進入する水は０．０８ｍ３（図１０右側グラフのＦ２合計水量）の水しか進入しないことが明らかになり、水の進入を顕著に減少させることができた（約７６％の水の進入を減少させた。（０．３４−０．０８）／０．３４＝約０．７６５。）。
【００４０】
第１実施形態の本オープンシールド機１１を用いた上述の吸水実験と同様に、第２実施形態の本オープンシールド機を用いた吸水実験を行った。
図１１に測定結果を示す。図１１は、水量（単位：ｍ３）を縦軸が示すものであり（図１１中、「水中Ｐ排水量」は流量Ｆ２の１分間の合計水量（単位：ｍ３）を示し、「ＷＰ．Ｐ排水量」は流量Ｆ３の１分間の合計水量（単位：ｍ３）を示している。）、左側のグラフ（図１１中、「水中Ｐのみで排水」と示している）は、吸水ポンプ７３を停止し、進入水排水ポンプ７６を運転したときのものであり、Ｆ３合計水量＝０（吸水ポンプ７３を停止しているので０である）、Ｆ２合計水量＝０．３４ｍ３であったことを示している。このＦ２合計水量＝０．３４ｍ３は、吸水実験を行った環境において従来のオープンシールド内部に進入する水の量を示すものである。
図１１の右側のグラフ（図１１中、「ＷＰ．Ｐ＋水中Ｐで排水」と示している）は、吸水ポンプ７３を運転すると共に、進入水排水ポンプ７６を運転したときのものであり、Ｆ３合計水量＝０．４９ｍ３、Ｆ２合計水量＝０．０７ｍ３であったことを示している。
即ち、従来のオープンシールド内部には１分間で０．３４ｍ３（図１１左側グラフのＦ２合計水量）の水が進入する環境において、第２実施形態の本オープンシールド機内部に進入する水は０．０７ｍ３（図１１右側グラフのＦ２合計水量）の水しか進入しないことが明らかになり、水の進入を顕著に減少させることができた（約７９％の水の進入を減少させた。（０．３４−０．０７）／０．３４＝約０．７９４。）。
【００４１】
（逆洗実験）
第１実施形態の本オープンシールド機１１を用いて吸水実験を行ったところ、Ｆ３合計水量が増加するにつれて流量Ｆ３が減少すると共に流量Ｆ２が増加する傾向が見られた。吸入した土砂による目詰まりが原因と推測し、逆洗実験を行った。
具体的には、吸水実験開始直後は、流量Ｆ３＝０．３４ｍ３／分、流量Ｆ２＝０．０８ｍ３／分であったが、Ｆ３合計水量（吸水実験を開始してからの積算水量）が５．６ｍ３となったとき（吸水実験を開始して約２０分後）、流量Ｆ３＝０．２３ｍ３／分、流量Ｆ２＝０．１７ｍ３／分となったため、上述の液高逆洗行程を行った。その後、再び吸水実験を行ったところ、流量Ｆ３＝０．３０ｍ３／分、流量Ｆ２＝０．１１ｍ３／分となった。液高逆洗行程によれば、流量Ｆ３は吸水実験開始直後のもの（０．３４ｍ３／分）ほどは回復しなかったが、液高逆洗行程は迅速に行うことができ、十分に実用性があるものであった。
また、別の吸水実験開始直後は、流量Ｆ３＝０．３２ｍ３／分、流量Ｆ２＝０．１２ｍ３／分であったが、Ｆ３合計水量（吸水実験を開始してからの積算水量）が６．０ｍ３となったとき（吸水実験を開始して約２０分後）、流量Ｆ３＝０．２５ｍ３／分、流量Ｆ２＝０．１８ｍ３／分となったため、上述のポンプ逆洗行程を約０．５分（吐出ポンプ７４から吐出された逆洗水は合計０．２ｍ３）行った。その後、再び吸水実験を行ったところ、流量Ｆ３＝０．３１ｍ３／分、流量Ｆ２＝０．１２ｍ３／分となった。ポンプ逆洗行程によれば、流量Ｆ３は吸水実験開始直後のレベル（０．３２ｍ３／分）に回復した。
【００４２】
また、第２実施形態の本オープンシールド機を用いた逆洗実験を行った。
吸水実験開始直後は、流量Ｆ３＝０．４９ｍ３／分、流量Ｆ２＝０．０７ｍ３／分であったが、Ｆ３合計水量（吸水実験を開始してからの積算水量）が７．９ｍ３となったとき（吸水実験を開始して約２０分後）、流量Ｆ３＝０．３２ｍ３／分、流量Ｆ２＝０．２５ｍ３／分となったため、上述の液高逆洗行程を行った。その後、再び吸水実験を行ったところ、流量Ｆ３＝０．４３ｍ３／分、流量Ｆ２＝０．１４ｍ３／分となった。液高逆洗行程によれば、流量Ｆ３は吸水実験開始直後のもの（０．４９ｍ３／分）ほどは回復しなかったが、液高逆洗行程は迅速に行うことができ、十分に実用性があるものであった。
また、別の吸水実験開始直後は、流量Ｆ３＝０．４２ｍ３／分、流量Ｆ２＝０．１２ｍ３／分であったが、Ｆ３合計水量（吸水実験を開始してからの積算水量）が７．２ｍ３となったとき（吸水実験を開始して約２０分後）、流量Ｆ３＝０．２９ｍ３／分、流量Ｆ２＝０．２５ｍ３／分となったため、上述のポンプ逆洗行程を約０．５分（吐出ポンプ７４から吐出された逆洗水は合計０．２ｍ３）行った。その後、再び吸水実験を行ったところ、流量Ｆ３＝０．４０ｍ３／分、流量Ｆ２＝０．１３ｍ３／分となった。ポンプ逆洗行程によれば、流量Ｆ３は吸水実験開始直後のレベル（０．４２ｍ３／分）に回復した。
【００４３】
以上の通り、第１実施形態の本オープンシールド機１１と、第２実施形態の本オープンシールド機と、のいずれも、濾材５７による吸入水の濾過が行われることから、土砂によるパイプ詰まりやポンプ故障を防止又は減少させつつ（運転を停止し掃除や修理を行う頻度が小さく、作業性を向上させる。）、安定してオープンシールド内部に進入する水の量を著しく減少させることができる。
また、本オープンシールド機は、吸入した土砂による目詰まりにより吸入力が低下し流量Ｆ３が減少した場合には、逆洗工程（液高逆洗行程、ポンプ逆洗行程）を行うことで吸入力を回復させることができ、これによって安定かつ継続してオープンシールド内部に進入する水の量を著しく減少させることができる。
このように本オープンシールド機は、オープンシールド機の外部から地下水を吸入し排出することでオープンシールド機外側の地下水位を下げることができ、オープンシールド機内部への水の浸入を抑制しつつ、長時間安定した運転が可能である。
【００４４】
第１実施形態の本オープンシールド機１１は、左右両側面に沿って前後（矢印Ｑ１、矢印Ｑ２）方向に配設される右側板部（右フロント側板部２３ａ、右テール側板部３３ａ）及び左側板部（左フロント側板部２３ｂ、左テール側板部３３ｂ）を備え、右側板部（右フロント側板部２３ａ、右テール側板部３３ａ）及び左側板部（左フロント側板部２３ｂ、左テール側板部３３ｂ）のうち少なくとも一方（ここでは両方）の表面に存する吸入孔（左フロント側板部２３ｂ及び右フロント側板部２３ａについては開孔２９、左テール側板部３３ｂ及び右テール側板部３３ａについてはスリット３９及び開孔３４ｃｈａ）から水を吸入し除去するオープンシールド機であって、粒状又は粉状の固体（ここでは粒径１．７ｍｍ〜４．８ｍｍの珪砂）を含んでなり、該粒状又は該粉状の固体同士の間を吸入水が通過することにより、吸入孔（開孔２９、スリット３９、開孔３４ｃｈａ）から吸入された吸入水に同伴される土砂を濾過により除去する土砂除去手段（ここでは濾材５７）と、吸入孔（開孔２９、スリット３９、開孔３４ｃｈａ）から吸入水が吸入されるように、土砂除去手段（濾材５７）により、該同伴される土砂の少なくとも一部が除去された吸入水を移送する吸入水移送手段（ここでは吸入管５３ａ、５３ｂ、５３ｃ、接続管５５ａ、５５ｂ、５５ｃ、枝パイプ５１ａ、５１ｂ、５１ｃ、５１ｄ、幹パイプ５６、開放バルブ７０、接続管７０ｃ、第１バルブ７１、吸入管７３ｓ、吸水ポンプ７３、吐出管７３ｄを含んで構成される。）と、を備えてなる、オープンシールド機である。
【００４５】
第２実施形態の本オープンシールド機は、左右両側面に沿って前後（矢印Ｑ１、矢印Ｑ２）方向に配設される右側板部（右フロント側板部２３ａ、右テール側板部３３ａ）及び左側板部（左フロント側板部２３ｂ、左テール側板部３３ｂ）を備え、右側板部（右フロント側板部２３ａ、右テール側板部３３ａ）及び左側板部（左フロント側板部２３ｂ、左テール側板部３３ｂ）のうち少なくとも一方（ここでは両方）の表面に存する吸入孔（左フロント側板部２３ｂ及び右フロント側板部２３ａについては開孔２９、左テール側板部３３ｂ及び右テール側板部３３ａについてはスリット３９及び開孔３４ｃｈａ）から水を吸入し除去するオープンシールド機であって、粒状又は粉状の固体（ここでは粒径１．７ｍｍ〜４．８ｍｍの珪砂）を含んでなり、該粒状又は該粉状の固体同士の間を吸入水が通過することにより、吸入孔（開孔２９、スリット３９、開孔３４ｃｈａ）から吸入された吸入水に同伴される土砂を濾過により除去する土砂除去手段（ここでは濾材５７）と、吸入孔（開孔２９、スリット３９、開孔３４ｃｈａ）から吸入水が吸入されるように、土砂除去手段（濾材５７）により、該同伴される土砂の少なくとも一部が除去された吸入水を移送する吸入水移送手段（ここでは枝パイプ５１ａ、５１ｂ、５１ｃ、５１ｄ、幹パイプ５６、開放バルブ７０、接続管７０ｃ、第１バルブ７１、吸入管７３ｓ、吸水ポンプ７３、吐出管７３ｄを含んで構成される。）と、を備えてなる、オープンシールド機である。
第１実施形態の本オープンシールド機１１と、第２実施形態の本オープンシールド機と、のいずれにおいても、土砂除去手段（濾材５７）を構成する粒状又は粉状の固体の粒径は、小さくなると吸入水に同伴される小さな土砂まで除去されるので好ましいが、反面、吸入水が粒状又は粉状の固体同士の間を通過する抵抗が増加するので、これらを両立する範囲とされてもよく、通常は、０．８５ｍｍ〜９．５ｍｍ（「ＪＩＳ  Ａ  １２０４」にて規定された土の粒度試験による測定）のものを用いることができる。
【００４６】
第１実施形態の本オープンシールド機１１は、土砂除去手段（濾材５７）が吸入水から除去した土砂を、土砂除去手段（濾材５７）から取り除く土砂取り除き手段（ここでは吸入管５３ａ、５３ｂ、５３ｃと接続管５５ａ、５５ｂ、５５ｃと枝パイプ５１ａ、５１ｂ、５１ｃ、５１ｄと幹パイプ５６と開放バルブ７０とを有して構成される液高逆洗部と、進入水排水ポンプ７６と吐出管７６ｄと第２バルブ７７と進入水移送パイプ７８と沈降槽７５と吐出ポンプ７４と吐出管７４ｄと第１バルブ７１と接続管７０ｃと開放バルブ７０と幹パイプ５６と枝パイプ５１ａ、５１ｂ、５１ｃ、５１ｄと接続管５５ａ、５５ｂ、５５ｃと吸入管５３ａ、５３ｂ、５３ｃとを有して構成されるポンプ逆洗部と、を含む。）を備えるものである。
第２実施形態の本オープンシールド機は、土砂除去手段（濾材５７）が吸入水から除去した土砂を、土砂除去手段（濾材５７）から取り除く土砂取り除き手段（ここでは枝パイプ５１ａ、５１ｂ、５１ｃ、５１ｄと幹パイプ５６と開放バルブ７０とを有して構成される液高逆洗部と、進入水排水ポンプ７６と吐出管７６ｄと第２バルブ７７と進入水移送パイプ７８と沈降槽７５と吐出ポンプ７４と吐出管７４ｄと第１バルブ７１と接続管７０ｃと開放バルブ７０と幹パイプ５６と枝パイプ５１ａ、５１ｂ、５１ｃ、５１ｄとを有して構成されるポンプ逆洗部と、を含む。）を備えるものである。
【００４７】
第１実施形態の本オープンシールド機１１と、第２実施形態の本オープンシールド機と、のいずれにおいても、土砂取り除き手段（液高逆洗部、ポンプ逆洗部）が、土砂除去手段（濾材５７）が吸入水を濾過し土砂を取り除く際の吸入水の流れる方向とは逆方向の水である逆洗水を土砂除去手段（濾材５７）に流す逆洗手段である。
第１実施形態の本オープンシールド機１１と、第２実施形態の本オープンシールド機と、のいずれにおいても、逆洗水が、土砂除去手段（濾材５７）により前記同伴される土砂の少なくとも一部が除去された吸入水（液高逆洗部による逆洗の場合）又は当該オープンシールド機の内部の土表面に存する進入水（ポンプ逆洗部による逆洗の場合）を用いるものである。
【００４８】
第１実施形態の本オープンシールド機１１と、第２実施形態の本オープンシールド機と、のいずれにおいても、（ポンプ逆洗部による逆洗の場合）逆洗水が、前記進入水を用いるものであり、前記進入水に同伴される土砂を除去する逆洗水土砂除去手段（ここでは沈降槽７５）を有するものである。
第１実施形態の本オープンシールド機１１においては、（液高逆洗部による逆洗の場合）逆洗水が、前記吸入水を用いるものであり、逆洗手段（吸入管５３ａ、５３ｂ、５３ｃと接続管５５ａ、５５ｂ、５５ｃと枝パイプ５１ａ、５１ｂ、５１ｃ、５１ｄと幹パイプ５６と開放バルブ７０とを有して構成される）が、吸入水移送手段（吸入管５３ａ、５３ｂ、５３ｃ、接続管５５ａ、５５ｂ、５５ｃ、枝パイプ５１ａ、５１ｂ、５１ｃ、５１ｄ、幹パイプ５６、開放バルブ７０、接続管７０ｃ、第１バルブ７１、吸入管７３ｓ、吸水ポンプ７３、吐出管７３ｄを含んで構成される）により移送される吸入水を少なくとも土砂除去手段（濾材５７）よりも高い位置にて保持する吸入水保持手段（枝パイプ５１ａ、５１ｂ、５１ｃ、５１ｄと幹パイプ５６とを含んで構成される）と、吸入水保持手段（枝パイプ５１ａ、５１ｂ、５１ｃ、５１ｄと幹パイプ５６とを含んで構成される）に保持された吸入水を該高い位置から土砂除去手段（濾材５７）まで液高により流動させる液高流動手段（ここでは開放バルブ７０）と、を有してなる。
第２実施形態の本オープンシールド機においては、（液高逆洗部による逆洗の場合）逆洗水が、前記吸入水を用いるものであり、逆洗手段（枝パイプ５１ａ、５１ｂ、５１ｃ、５１ｄと幹パイプ５６と開放バルブ７０とを有して構成される）が、吸入水移送手段（枝パイプ５１ａ、５１ｂ、５１ｃ、５１ｄ、幹パイプ５６、開放バルブ７０、接続管７０ｃ、第１バルブ７１、吸入管７３ｓ、吸水ポンプ７３、吐出管７３ｄを含んで構成される。）により移送される吸入水を少なくとも土砂除去手段（濾材５７）よりも高い位置にて保持する吸入水保持手段（枝パイプ５１ａ、５１ｂ、５１ｃ、５１ｄと幹パイプ５６とを含んで構成される）と、吸入水保持手段（枝パイプ５１ａ、５１ｂ、５１ｃ、５１ｄと幹パイプ５６とを含んで構成される）に保持された吸入水を該高い位置から土砂除去手段（濾材５７）まで液高により流動させる液高流動手段（ここでは開放バルブ７０）と、を有してなる。
【００４９】
第１実施形態の本オープンシールド機１１においては、吸入水移送手段（吸入管５３ａ、５３ｂ、５３ｃ、接続管５５ａ、５５ｂ、５５ｃ、枝パイプ５１ａ、５１ｂ、５１ｃ、５１ｄ、幹パイプ５６、開放バルブ７０、接続管７０ｃ、第１バルブ７１、吸入管７３ｓ、吸水ポンプ７３、吐出管７３ｄを含んで構成される）が、土砂除去手段（濾材５７）を通過した吸入水を一端（ここでは吸入管５３ａ、５３ｂ、５３ｃ側）に受け入れ、少なくとも該一端よりも高位置へ吸入水を導く導管（ここでは接続管５５ａ、５５ｂ、５５ｃ、枝パイプ５１ａ、５１ｂ、５１ｃ、５１ｄ、幹パイプ５６）を有してなり、吸入水保持手段（枝パイプ５１ａ、５１ｂ、５１ｃ、５１ｄと幹パイプ５６とを含んで構成される）が、該一端から該高位置までの該導管（接続管５５ａ、５５ｂ、５５ｃ、枝パイプ５１ａ、５１ｂ、５１ｃ、５１ｄ、幹パイプ５６）により構成されると共に、液高流動手段（開放バルブ７０）が、該高位置における導管（接続管５５ａ、５５ｂ、５５ｃ、枝パイプ５１ａ、５１ｂ、５１ｃ、５１ｄ、幹パイプ５６）の内部を外部と連通させる連通手段である。
第２実施形態の本オープンシールド機においては、吸入水移送手段（枝パイプ５１ａ、５１ｂ、５１ｃ、５１ｄ、幹パイプ５６、開放バルブ７０、接続管７０ｃ、第１バルブ７１、吸入管７３ｓ、吸水ポンプ７３、吐出管７３ｄを含んで構成される）が、土砂除去手段（濾材５７）を通過した吸入水を一端（ここでは枝パイプ５１ａ、５１ｂ、５１ｃ、５１ｄの連通孔５１ｈが形成されている側）に受け入れ、少なくとも該一端よりも高位置へ吸入水を導く導管（ここでは枝パイプ５１ａ、５１ｂ、５１ｃ、５１ｄ、幹パイプ５６）を有してなり、吸入水保持手段（枝パイプ５１ａ、５１ｂ、５１ｃ、５１ｄと幹パイプ５６とを含んで構成される）が、該一端から該高位置までの該導管（枝パイプ５１ａ、５１ｂ、５１ｃ、５１ｄ、幹パイプ５６）により構成されると共に、液高流動手段（開放バルブ７０）が、該高位置における導管（枝パイプ５１ａ、５１ｂ、５１ｃ、５１ｄ、幹パイプ５６）の内部を外部と連通させる連通手段である。
【００５０】
第１実施形態の本オープンシールド機１１と、第２実施形態の本オープンシールド機と、のいずれにおいても、土砂除去手段（濾材５７）に岩石が到達することを防止又は減少させるため、岩石の通過を制限すると共に吸入水の通過を許容する岩石不通過孔（開孔２９、スリット３９、開孔３４ｃｈａ）が形成された岩石除去板（右フロント側面板２３ａｂ、左フロント側面板２３ｂｂ、左テール側面板３３ｂｂ、右テール側面板３３ａｂ、左テール側板本体３３ｂｍの外板３４ｃ、左テール側板本体３３ｂｍの外板３４ｃと同様の右テール側板本体の外板）を備えてなる。なお、ここにいう通過が制限される岩石は、好ましくは５３ｍｍ以上、より好ましくは３７．５ｍｍ以上（この５３ｍｍ及び３７．５ｍｍのいずれも、「ＪＩＳ  Ａ  １２０４」にて規定された土の粒度試験測定による。）である（上限は特にないが、仮想上の互いに平行な２の平面に岩石を挟んだ状態（該２の平面のいずれにも該岩石が接する状態）において該２の平面の間の距離の最小値（該状態において該岩石を種々の方向に回転させた際の該距離のうちの最小値）として、通常、１５０ｍｍ以下である。）。
第１実施形態の本オープンシールド機１１と、第２実施形態の本オープンシールド機と、のいずれにおいても、岩石除去板（右フロント側面板２３ａｂ、左フロント側面板２３ｂｂ、左テール側面板３３ｂｂ、右テール側面板３３ａｂ、左テール側板本体３３ｂｍの外板３４ｃ、左テール側板本体３３ｂｍの外板３４ｃと同様の右テール側板本体の外板）が、前記一方の表面の一部を形成すると共に、岩石不通過孔（開孔２９、スリット３９、開孔３４ｃｈａ）が吸入孔を構成し、前記一方の内部に、岩石不通過孔（開孔２９、スリット３９、開孔３４ｃｈａ）により外部３０１と連通し、土砂除去手段（濾材５７）を保持する保持空間（左フロント下室２６内部空間２６ｒ、右フロント下室内部空間、左テール下室３６内部空間３６ｒ及び右テール下室内部空間）が形成されており、吸入水移送手段（第１実施形態の本オープンシールド機１１においては吸入管５３ａ、５３ｂ、５３ｃ、接続管５５ａ、５５ｂ、５５ｃ、枝パイプ５１ａ、５１ｂ、５１ｃ、５１ｄ、幹パイプ５６、開放バルブ７０、接続管７０ｃ、第１バルブ７１、吸入管７３ｓ、吸水ポンプ７３、吐出管７３ｄを含んで構成される。第２実施形態の本オープンシールド機においては枝パイプ５１ａ、５１ｂ、５１ｃ、５１ｄ、幹パイプ５６、開放バルブ７０、接続管７０ｃ、第１バルブ７１、吸入管７３ｓ、吸水ポンプ７３、吐出管７３ｄを含んで構成される。）が保持空間（左フロント下室２６内部空間２６ｒ、右フロント下室内部空間、左テール下室３６内部空間３６ｒ及び右テール下室内部空間）から吸入水を吸入するものである。
【００５１】
第１実施形態の本オープンシールド機１１を用いた前述の吸水実験と、第２実施形態の本オープンシールド機を用いた吸水実験と、のいずれも、本オープンシールド機を用いたオープンシールド工法であって、前記一方の表面に存する吸入孔（開孔２９、スリット３９、開孔３４ｃｈａ）から水を吸入し除去する吸入工程を含むものである、工法である。
第１実施形態の本オープンシールド機１１を用いた吸水実験の後の前述の逆洗実験と、第２実施形態の本オープンシールド機を用いた吸水実験の後の前述の逆洗実験と、のいずれも、本オープンシールド機を用いたオープンシールド工法であって、吸入行程（吸水実験）の後、土砂除去手段（濾材５７）が吸入水から除去した土砂を、土砂除去手段（濾材５７）から取り除く土砂取り除き工程（液高逆洗行程、ポンプ逆洗行程）を含むものである、工法である。
【符号の説明】
【００５２】
１１            第１実施形態に係る本オープンシールド機
１１ｃ          内部
２０ａ          下板
２０ｂ          内板
２０ｄ          仕切り板
２１            フロント部
２３ａ          右フロント側板部
２３ａｂ        右フロント側面板
２３ｂ          左フロント側板部
２３ｂｂ        左フロント側面板
２３ｂｄ        下面
２３ｂｂｈ      多孔部
２４、２５      フロント支持梁
２６            左フロント下室
２６ｒ          内部空間
２９            開孔
３１            テール部
３３ａ          右テール側板部
３３ａｂ        右テール側面板
３３ａｍ        右テール側板本体
３３ｂ          左テール側板部
３３ｂｂ        左テール側面板
３３ｂｄ        下面
３３ｂｍ        左テール側板本体
３３ｂｂｈ      多孔部
３４ａ          下板
３４ｂ          内板
３４ｃ          外板
３４ｃｈ        多孔部
３４ｃｈａ      開孔
３４ｄ          仕切り板
３５ｃ、３５ｄ  テール支持梁
３６            左テール下室
３６ｒ          内部空間
３９            スリット
４１            推進ジャッキ
５１、５１ａ、５１ｂ、５１ｃ、５１ｄ  枝パイプ
５１ｅ          先端
５１ｈ          連通孔
５３ａ、５３ｂ、５３ｃ  吸入管
５５ａ、５５ｂ、５５ｃ  接続管
５６            幹パイプ
５７            濾材
５８            金網
６１            制御部
７０            開放バルブ
７０ｃ          接続管
７１            第１バルブ
７２            単管
７３            吸水ポンプ
７３ｄ          吐出管
７３ｓ          吸入管
７４            吐出ポンプ
７４ｄ          吐出管
７５            沈降槽
７６            進入水排水ポンプ
７６ｄ          吐出管
７７            第２バルブ
７８            進入水移送パイプ
７９            進入水排水パイプ
９１            吸排水ユニット
９５            逆洗ユニット
３０１            外部
【図１】
2018044373.tif 000003
【図２】
2018044373.tif 000004
【図３】
2018044373.tif 000005
【図４】
2018044373.tif 000006
【図５】
2018044373.tif 000007
【図６】
2018044373.tif 000008
【図７】
2018044373.tif 000009
【図８】
2018044373.tif 000010
【図９】
2018044373.tif 000011
【図１０】
2018044373.tif 000012
【図１１】
2018044373.tif 000013